(57)【特許請求の範囲】
【請求項１】
ベッドを支持する少なくとも４つの脚に設けられ、それぞれの脚にかかる荷重を測定するベッドスケール体重計と、このベッドスケール体重計の検出結果に基づいてベッド上に滞在する被測定者の体重等の生体条件を表示する表示手段を具備するベッドにおいて、
前記ベッドスケール体重計が、それぞれの脚部に装着され、該脚部にかかる荷重を測定する重量センサと、前記ベッドの設置後に、該ベッドの設置条件によって変動する前記重量センサの検出値を校正する校正装置とを具備し、該校正装置が、前記ベッドの設置後に、それぞれの脚部の底端部に着脱自在に装着される荷重計と、該荷重計によって検出された荷重値と前記重量センサによって検出された検出値とが一致するように、前記重量センサの検出値を校正する校正手段とによって構成され、該校正手段が、前記重量センサからの検出信号を荷重値に変換する変換式を書き換える書換手段を具備することを特徴とするベッド。
【請求項２】
前記校正装置が、重量センサの検出値の校正後に取り外されることを特徴とする請求項１記載のベッド。
【発明の詳細な説明】
【０００１】
この発明は、ベッドの脚部のそれぞれに設置された重量センサを有し、少なくともベッド上に滞在する被測定者の体重等の生体状態を測定することのできるベッドに関する。
【０００２】
【従来の技術】
従来のベッドスケール体重計付のベッドは、ベッド自体の剛性を比較的高くして設置条件によって異なる脚部の検出値の偏差を低下させると共に、設置前にベッドに予め荷重をかけて検出値を校正し、設置後には各脚部の水平バランスなどを調整するのみであった。
【０００３】
【発明が解決しようとする課題】
しかしながら、上記方法では、重量の校正が、予め比較的床の平面度及び剛性の高い工場などで実施されるため、実際に設置される場所の床の条件、例えば、床の平面度、床の剛性、床の傾斜などが異なるため、実際の検出結果と異なる不具合が生じる。また、これを是正するために、ベッド自体の剛性を高くすると、コストが上昇したり、重量が重くなるという不具合が生じていた。
【０００４】
このため、この発明は、設置条件の異なる場合にも対処でき、精度の良い検出を行うことのできるベッドを提供することにある。
【０００５】
【課題を解決するための手段】
よって、この発明は、ベッドを支持する少なくとも４つの脚に設けられ、それぞれの脚にかかる荷重を測定するベッドスケール体重計と、このベッドスケール体重計の検出結果に基づいてベッド上に滞在する被測定者の体重等の生体条件を表示する表示手段を具備するベッドにおいて、前記ベッドスケール体重計が、それぞれの脚部に装着され、該脚部にかかる荷重を測定する重量センサと、前記ベッドの設置後に、該ベッドの設置条件によって変動する前記重量センサの検出値を校正する校正装置とを具備することにある。
【０００６】
したがって、この発明によれば、ベッドの設置後、ベッドが設置された状態で、校正装置によって、重量センサの検出値を正しい値に校正するので、重量センサによる検出値を正確なものにすることができる。
【０００７】
また、この発明において、前記校正装置は、前記ベッドの設置後に、それぞれの脚部の底端部に着脱自在に装着される荷重計と、該荷重計によって検出された荷重値と前記重量センサによって検出された検出値とが一致するように、前記重量センサの検出値を校正する校正手段とによって校正されることが望ましい。さらに、前記校正手段は、前記重量センサからの検出信号を荷重値に変換する変換式を書き換えることが望ましい。さらにまた、前記校正装置は、重量センサの検出値の校正後に取り外されることが望ましい。
【０００８】
【発明の実施の形態】
以下、この発明の実施の形態について図面により説明する。
【０００９】
図１（ａ），（ｂ）で示されるベッド、いわゆるベッドスケール体重計付のベッド１は、そのベッドを支持する４つの脚部２を有し、この脚部２の各々には、重量センサ３が装着され、その脚部２のそれぞれにかかる荷重を検出するようになっている。
【００１０】
この重量センサ３の検出信号は、演算表示ユニット４に送られ、ここで、ベッド上に滞在する被測定者の状態、体重、脈拍、呼吸数、寝返り数等を演算し、表示部においてこれらの演算結果を表示するようになっているものである。
【００１１】
具体的には、前記演算表示ユニット４は、図２で示すように、演算ユニット５及び操作表示ユニット６によって構成され、前記４つの重量センサ３（３ａ，３ｂ，３ｃ，３ｄ）の検出信号は、前記演算表示ユニット４内に収納されている演算ユニット５のＡ／Ｄ変換部７に送られてデジタル信号に変換され、さらに、重量信号変換部８において、この重量信号変換部８に格納された所定の数式、演算マップにしたがって重量信号に変換される。
【００１２】
変換された重量信号は、中央演算処理部９に送られ、所定のプログラムが格納されたメモリ（例えば、ＲＯＭ）１０から、適当なプログラムを読み込んで信号処理し、また、演算された信号をメモリ（例えば、ＲＡＭ）１１に格納したり取り出したりして所定の信号、体重表示信号、脈拍表示信号、呼吸数表示信号等に変換し、操作表示ユニット６の表示部１２に出力して、この表示部１２にそれぞれの情報を表示するものである。また、操作表示ユニット６の操作スイッチ１３，１４等の設定信号は、前記中央演算処理部９に送られる。この実施の形態で、例えば、前記操作スイッチ１３はオンオフスイッチであり、操作スイッチ１４は表示切替スイッチである。
【００１３】
しかしながら、前記重量センサ３（３ａ，３ｂ，３ｃ，３ｄ）の検出信号と前記重量信号とは、通常、工場出荷時にベッド上に所定の重りを載せて、正しい値となるように校正されているが、ベッドが設置される場所は、校正された場所と条件が異なるのが通常であり、特に、ベッド設置場所の床の剛性、平坦度、傾斜等によって検出値が異なるものである。このため、本願発明のベッド１には、校正装置２０が設けられる。
【００１４】
この校正装置２０は、前記重量信号変換部８に格納された変換式、又はマップを書き換えるための書換装置２２と、この書換装置２２に前記脚部２にかかる荷重を検出する４つの皿型の荷重計（荷重センサ）２１（２１ａ，２１ｂ，２１ｃ，２１ｄ）とによって構成される。
【００１５】
これによって、ベッド１を所定の位置に搬入・設置した場合に、ベッド１の重量センサ３を具備する脚部２の下端に前記皿型の荷重センサ２１を配置すると共に前記書換装置２２に接続して、前記脚部２のそれぞれにかかる荷重を計測する。また、前記書換装置２２は、前記重量信号変換部８の出力値（重量信号）を読み込んでこれを表示する。このとき、荷重センサ２１による荷重がＷ１[Ｋｇ]であり、前記重量信号変換部８の重量信号Ｗ２と異なる場合には、前記重量信号をＷ１に構成する。
【００１６】
一例として、重量信号Ｗ２が、Ｗ２＝Ｋ・ｆ（Ｖｓ）によって演算される場合、図３に示すように、重量センサ３の出力値Ｖｓが重量信号Ｗ１となるように、演算定数Ｋを変化させることによって重量校正が行われる[Ｗ１＝Ｋ１・ｆ（Ｖｓ）]。
【００１７】
そして、それぞれの脚部２の重量センサ３の値がすべて荷重センサ２１の値に校正されると、前記荷重センサ２１を前記脚部２から取り外して、重量センサ３によってのみ計測を行うようにするものである。
【００１８】
【発明の効果】
以上説明したように、この発明によれば、ベッドの設置現場においてベッドの荷重を計測する重量センサの校正を行うことができるので、設置条件、例えば、床の平坦度、剛性、傾斜等が異なる場所においても、荷重の正確な測定を行うことができるものである。このため、ベッド自体の剛性をあげる必要がなくなることから、ベッドの軽量化を図ることができるという効果を奏するものである。
【００１９】
さらに、既存のベッドにも重量センサを設置することが可能となるため、コストの低減を図ることができるものである。
【図面の簡単な説明】
【図１】（ａ）は、本願発明の実施の形態に係るベッドの側面図であり、（ｂ）は底面図である。
【図２】前記演算表示ユニットの内部の概略構成図である。
【図３】重量変換部に格納される変換式を示した特性線図である。
【符号の説明】
１  ベッド
２  脚部
３（３ａ，３ｂ，３ｃ，３ｄ）  重量センサ
４  演算表示ユニット
５  演算ユニット
６  操作表示ユニット
２０  校正装置
２１  荷重センサ
２２  書換装置
【図１】
0004788987.tif 000002
【図２】
0004788987.tif 000003
【図３】
0004788987.tif 000004